(57)【要約】  【課題】  本発明は、接着剤の強度を低下させず、且つ、導通のための導電性材料の付加を必要としない導電性ブレード部材と電子写真装置用導電性ブレード体を提供する。  【解決手段】  電子写真装置用導電性ブレード体の支持体に接着される本発明の導電性ブレード部材１は、支持体２（ホルダー）の表面２ａに接触させる導通部１ａを端部を延長して設ける。  【選択図面】  図１
2007003849.tif 000002
【特許請求の範囲】
【請求項１】
電子写真装置用導電性ブレード体の支持体に接着される導電性ブレード部材であって、
前記支持体の表面に接触させる導通部が端部を延長して設けられていることを特徴とする導電性ブレード部材。
【請求項２】
前記導通部が接着テープにより前記支持体に押し付けられることを特徴とする請求項１記載の導電性ブレード部材。
【請求項３】
前記請求項１または２に記載の導電性ブレード部材を備えていることを特徴とする電子写真装置用導電性ブレード体。
【発明の詳細な説明】
【技術分野】
【０００１】
本発明は、プリンタ、複写機、ファクシミリなどの電子写真装置用の導電性ブレード部材と電子写真装置用導電性ブレード体に関する。
【背景技術】
【０００２】
従来、電子写真装置で使用されている導電性ブレード体は、ゴム弾性を備えた導電性のブレード部材とそれを支持する支持体とからなり、ブレード部材は、ホットメルト等の接着剤、両面粘着テープなどによって支持体に固着されている。このように、ブレード部材と支持体との間に接着剤や両面粘着テープなどの接着層が存在していると、ブレード部材と支持体との導通が断たれてしまうため、次のような方法でブレード部材と支持部材とを電気的に接続している。
【０００３】
ａ．接着剤を導電性のものにする。これは、エポキシ樹脂などのバインダーに導電性の金属フィラーを混入した導電性接着剤を使ってブレード部材を支持体に接着し、ブレード部材と支持体間の導通を図っている。
【０００４】
ｂ．導電性ブレード体に、ブレード部材と支持体とを電気的に接続するための導電性材料を配設する（例えば、特許文献１参照）。これは例えば、導電性ブレード体のブレード部材と支持体との隣接部分に導電性塗料を塗布し、ブレード部材と支持体間との導通を図っている。
【特許文献１】特許３０９５１９３号公報（第１、２頁および第１〜３図）
【発明の開示】
【発明が解決しようとする課題】
【０００５】
しかしながら、ａの場合は金属フィラーを混入したことでバインダーの接着力が低下し、ブレード部材と支持体との接合強度が弱い点に問題がある。一方、ｂの場合は導電性材料を設けるための加工を必要とし製造工程の簡略化を図りにくい点に問題がある。
【０００６】
そこで本発明は、上記のような問題点を解決するため、接着剤の強度を低下させず、且つ、導通のための導電性材料の付加を必要としない電子写真装置用の導電性ブレード部材と電子写真装置用導電性ブレード体の提供を目的としている。
【課題を解決するための手段】
【０００７】
本発明にかかる請求項１記載の導電性ブレード部材は、電子写真装置用導電性ブレード体の支持体に接着される導電性ブレード部材であって、前記支持体の表面に接触させる導通部を端部を延長して設けることを特徴としている。
【０００８】
請求項１記載の導電性ブレード部材によれば、前記導通部が前記支持体の表面に接触し前記導電性ブレード部材と前記支持体とを導通させることができるので、前記導電性ブレード部材の接着に、バインダーの接着力が弱い導電性接着剤を用いる必要がなく、前記導電性ブレードを前記支持体にしっかりと固定することができる。また、前記導通部によって前記支持体との導通がとれるので、導通用の導電性材料を付加する必要がない。
【０００９】
なお、前記導通部を支持体表面に接触させる方法としては、接着テープ等で前記導通部を押さえつけ前記支持体表面に当接させる方法や、あらかじめ前記導通部を取付面側に曲げて形成し、その先端部を前記支持体表面に当接させるようにするなどの方法がある。
【００１０】
請求項２記載の導電性ブレード体は、導通部を接着テープを使って支持体に押し付けることを特徴としている。こうすると、前記導通部と前記支持体とが離間しにくくなり安定した導通状態を維持することができる。
【００１１】
請求項３記載の電子写真装置用導電性ブレード体は、請求項１または２に記載している導電性ブレード部材を設けることを特徴としている。こうすると、前記導電性ブレード部材と前記支持体との接着強度に優れ、且つ、導通用の導電性材料を付加する必要がないため加工性にも優れたブレード体とすることができる。
【発明の効果】
【００１２】
本発明の導電性ブレード部材と電子写真装置用導電性ブレード体によれば、導電性ブレード部材と支持体との接着強度に優れた電子写真装置用の導電性ブレード体の提供が可能になり、しかも、そのブレード体は導通用の導電性材料を付加する必要がなく製造工程の簡略化を図ることができる。また、導電性ブレード部材の導通部を接着テープで押さえることで、ブレード部材と支持体とが離間しにくく安定した導通を維持できるため、例えば、現像ブレードとして使用するとトナーが過帯電することなく、トナー散りや印字抜けが発生しにくくなる。
【発明を実施するための最良の形態】
【００１３】
以下に、本発明にかかる導電性ブレード部材と電子写真装置用導電性ブレード体とについて説明する。
【００１４】
図１（ａ）は導電性ブレード部材（以下、単にブレード部材ともいう）の斜視図を示しており、図１（ｂ）は電子写真装置用導電性ブレード体（以下、単にブレード体ともいう）の平面図、（ｃ）はブレード体の側面図を示している。
【００１５】
ブレード部材１は、導電性カーボンブラックを添加して導電性を付加したポリウレタンを長方形のシート状に形成したものであり、長辺側の一端部を延長することによって導通部１ａが設けられている。
【００１６】
この導電性ブレード部材１を、電気亜鉛めっき鋼板で形成されＬ型の断面形状を有する横長のホルダー２（支持体）に取り付けてブレード体３を形成している。
【００１７】
ブレード部材１は、ホルダー２の一辺部の外面２ａに、導通部１ａが設けられている方の端部をオーバーラップさせた状態にして、非導電性の接着剤、または、両面粘着テープ等（以下、接着剤等という）で接着されている。
【００１８】
接着の際、接着剤等はブレード部材１とホルダー２とがオーバーラップしている範囲のうち、導通部１ａを除いた部分に接着層４が形成されるよう設けられている。
【００１９】
そして、導通部１ａの上面とホルダー２の外面２ａとを掛け渡すように非導電性の接着テープ５が貼られ、導通部１ａを接着テープ５で上から押さえつけることにより、その先端をホルダー２の外面２ａに当接させている。これにより、導通部１ａとホルダー２との導通が図られ、しかも、接着テープ５によって離間しにくくなっているため、安定した導通状態を維持できるようになっている。
【００２０】
したがって、このブレード体３はホルダー２を通じて、ブレード部材３の余分な静電気をスムーズ、且つ、確実に取り除くことができるのである。また、接着力が弱い導電性接着剤を使用していないため、接着層４の破壊が起こりにくく機械的な強度にも優れている。
【００２１】
次に、ブレード体１の実施例をあげ、その電気抵抗値を測定して導電性を調べるとともに、レーザープリンターに現像ブレードとして組み込み印字テストを行なった結果について説明する。
【００２２】
なお、良否判断の目安とするため、ブレード部材とホルダーとが電気的に絶縁されているブレード体を比較例として用意し、これらの導電性や印字テストの結果と対比しながら説明する。
【００２３】
比較例として用意した導電性ブレード体は、長方形のシート状に形成したブレード部材を、長辺側の一端部をオーバーラップさせた状態でホルダーの一辺部の外面に、非導電性の接着剤、または、両面粘着テープで接着したもので、ブレード部材とホルダーとの導通は断たれた状態になっている（図示省略）。
【００２４】
実施例と比較例とで使用したブレード部材はいずれも、導電性カーボンブラックであるケッチェンブラックＥＣＰを０．７ｗｔ％の割合で混合したポリウレタンシートを使用し、ホルダーは株式会社神戸製鋼所製の商品名：コーベジンクＧＸを用いて同一形状に形成したものを使用した。また、ブレード部材をホルダーに接着するホットメルトおよび両面粘着テープについても同一のものを使用し、日本マタイ株式会社製の商品名：エルファンＵＨ（ポリウレタン系ホットメルト）、住友スリーエム株式会社製の商品名：Ｆ−９４６０ＣＰ（基材無接着剤転写テープ５０μｍ厚み）を使用した。エルファンＵＨは０．０８ｍｍ厚で１．７Ｅ＋１２（Ω）の電気抵抗を備えており、Ｆ−９４６０ＣＰは０．１６ｍｍ厚で１．９Ｅ＋１２（Ω）の電気低を有している。
【００２５】
そして、電気抵抗値の測定は、図２に示す測定装置を用いて行なった。この装置１０は、ブレード体３のブレード部材１に載置する電気抵抗の小さい導電性錘１１、電源１２、抵抗（１０ｋΩ）１３、ホルダー２に接続するための端子（図示せず）を直列に配線し、抵抗に電圧計１４を並列に接続したものである。そして、２５℃に設定した室内において各ブレード体を装置に取り付け、印加電圧２５０Ｖ・印加時間３０秒の条件で電流を流し、抵抗１３における電圧降下を調べることによってブレード体の電気抵抗値を測定した。
【００２６】
一方、印字テストは、図示しないセイコーエプソン株式会社製のレーザープリンター（品番：ＬＰ−７０００）を用いて行なった。
【００２７】
実施例１
実施例１のブレード体は、ブレード部材とホルダーとの接着をホットメルトのエルファンＵＨで行ったものである。この実施例１のブレード体は、電気抵抗値を測定したところ３．１Ｅ＋０６（Ω）を示し、印字テストにおいては３００００枚を印刷しても印刷画像に異常が見られずトナー散りや白スジは生じなかった。
【００２８】
実施例２
実施例２のブレード体は、ブレード部材とホルダーとの接着を両面接着テープのＦ−９４６０ＣＰで行ったものである。この実施例２のブレード体は、電気抵抗値を測定すると２．８Ｅ＋０６（Ω）を示し、印字テストにおいては実施例１と同様、３００００枚を印刷しても印刷画像に異常が見られずトナー散りや白スジは生じなかった。
【００２９】
比較例１
比較例１のブレード体は、ブレード部材とホルダーとの接着を実施例１と同じエルファンＵＨで行ったもので、この比較例１のブレード体は、電気抵抗値を測定すると３．１Ｅ＋１２（Ω）を示し、印字テストにおいては６０００枚を印刷すると既に印刷画像に異常が見らトナー散りや白スジが発生した。
【００３０】
比較例２
比較例２のブレード体は、ブレード部材とホルダーとの接着を実施例２と同じＦ−９４６０ＣＰＨで行ったものである。この比較例１のブレード体は、電気抵抗値を測定すると３．１Ｅ＋１２（Ω）を示し、印字テストにおいては７０００枚を印刷すると既に印刷画像に異常が見らトナー散りや白スジが発生した。
【００３１】
これらの結果を表１にまとめて示す。
【００３２】
【表１】
2007003849.tif 000003
表１の結果から、本発明にかかる電子写真装置用ブレード体はその優れた導電性により静電気の除電性能に優れ、電子写真装置のブレード体として好適なものであることがわかる。
【００３３】
なお、最良の形態として説明したブレード体のブレード部材は、長辺側の一端部の長手方向の全長にわたり導通部を設けているがこれに限るものではなく一部分だけでも良いし、短辺側に導通部を一体形成することも可能である。
【００３４】
また、現像ブレードとしての用途以外にもクリーニングブレード等、静電気の除電を必要とする部分のブレード体として使用することもできる。
【図面の簡単な説明】
【００３５】
【図１】（ａ）は本発明にかかる電子写真装置用ブレード部材の実施形態の斜視図を示し、（ｂ）は本発明にかかる電子写真装置用ブレード体の実施形態の平面図で（ｃ）はその側面図である。
【図２】最良の形態において、ブレード体の電気抵抗値を測定した装置を示す概略図である。
【符号の説明】
【００３６】
１    ブレード部材
１ａ  導通部
２    ホルダー
３    ブレード体
４    接着層
５    接着テープ
１０  測定装置
１１  導電性錘
１２  電源
１３  抵抗
１４  電圧計
【図１】
2007003849.tif 000004
【図２】
2007003849.tif 000005